(57)【要約】【課題】  薄型化に好適なカード用コネクタ装置を提供すること。【解決手段】  上面の両側縁に段差部５ａがへ形成されたカード５を挿入可能なカード用コネクタ装置において、カード５下面の外部接続部１０に接続可能なコンタクト１を支持する合成樹脂製のベース部材２と、このベース部材２に一体化された板金製のカバー部材３とでハウジング４を構成し、このカバー部材３に段差部５ａの上面に当接して挿入時のカード５の上方への動きを規制する上側規制部３Ａを形成すると共に、ベース部材２にカード５の下面に当接して挿入時のカード５の下方への動きを規制する下側規制部２Ａを形成した。【選択図】  図６
2006147301.tif 000002
【特許請求の範囲】
【請求項１】
上面の両側縁に段差部が形成されたカードを挿入可能なハウジングを具備し、このハウジングに、前記段差部の上面に当接して挿入時の前記カードの上方への動きを規制する上側規制部と、前記カードの下面に当接して挿入時の前記カードの下方への動きを規制する下側規制部とを設けたことを特徴とするカード用コネクタ装置。
【請求項２】
請求項１の記載において、前記上側規制部の厚み寸法が前記段差部の深さ寸法以下に設定されていることを特徴とするカード用コネクタ装置。
【請求項３】
請求項１または２の記載において、前記カードの後端が前記段差部の形成されていない誤挿入防止部となっており、前記カードを前後逆にして挿入したときに前記誤挿入防止部が前記上側規制部の前端部に当接するように構成されていることを特徴とするカード用コネクタ装置。
【請求項４】
請求項１の記載において、前記ハウジングが、内底面に複数の端子部材を露出させた合成樹脂製のベース部材と、このベース部材に一体化された金属製のカバー部材とからなり、このカバー部材に前記上側規制部を形成すると共に、前記ベース部材に前記下側規制部を形成したことを特徴とするカード用コネクタ装置。
【請求項５】
請求項１の記載において、前記ハウジングの左右両側壁に前記カードの挿入を案内するガイド部が設けられており、このガイド部に前記上側規制部と前記下側規制部を一体形成したことを特徴とするカード用コネクタ装置。
【請求項６】
請求項１の記載において、少なくとも一方の前記上側規制部が前記段差部の側面に当接して挿入時の前記カードの横方向への動きも規制するように構成されていることを特徴とするカード用コネクタ装置。
【請求項７】
請求項１の記載において、前記カードの前記段差部を設けた上面側とは反対側の下面側に外部接続部が配設され、前記外部接続部と接触可能な端子部材が前記ハウジングの内底面に配設されていることを特徴とするカード用コネクタ装置。
【発明の詳細な説明】
【技術分野】
【０００１】
本発明は、情報記憶機能を有するカードが接続されるカード用コネクタ装置に関するものである。
【背景技術】
【０００２】
この種のカード用コネクタ装置の従来例として、複数の端子部材を内蔵したハウジングの前面にカード挿入口を設け、このカード挿入口から挿入したカードをハウジング内の所定の装着位置まで押し込むことにより、カードの下面に設けられた複数の外部接続部を対応する端子部材に接続するように構成したものが知られている（例えば、特許文献１参照）。前記ハウジングは、内底面に各端子部材を露出させた合成樹脂製のベース部材と、このベース部材の上面開放端を覆うように一体化された金属製の天板とで構成されており、カードをハウジング内に挿入する際、天板の下面とベース部材の内底面とでカードを上下方向に規制することにより、カードを装着位置までスムーズに挿入できるようになっている。
【特許文献１】特開２００２−３６７７２０号公報（第３−４頁、図１）
【発明の開示】
【発明が解決しようとする課題】
【０００３】
昨今、この種のカード用コネクタ装置が組み込まれる携帯電話等の機器は小型化される傾向にあり、それに伴ってより小型で薄型のカード用コネクタ装置が要望されているが、前述した従来技術では、カード用コネクタ装置全体の高さ寸法が天板の板厚とカードの厚みおよびベース部材の底板の厚みを総和したもので決定されるため、ハウジングの機械的強度を確保した上でさらなる薄型化を図るのには限界があった。
【０００４】
本発明は、このような従来技術の実情に鑑みてなされたもので、その目的は、薄型化に好適なカード用コネクタ装置を提供することにある。
【課題を解決するための手段】
【０００５】
上記の目的を達成するために、本発明のカード用コネクタ装置は、上面の両側縁に段差部が形成されたカードを挿入可能なハウジングを具備し、このハウジングに、前記段差部の上面に当接して挿入時の前記カードの上方への動きを規制する上側規制部と、前記カードの下面に当接して挿入時の前記カードの下方への動きを規制する下側規制部とを設ける構成とした。
【０００６】
このように構成されたカード用コネクタ装置によれば、カード上面の両側縁に形成された段差部を利用して挿入時のカードの上方への動きを規制することができるため、カード用コネクタ装置全体の高さ寸法をカード自体の厚みと下側規制部の厚みを加算した程度まで薄くすることができる。
【０００７】
上記の構成において、前記上側規制部の上面が前記段差部から若干突出していてもある程度の薄型化を図れるが、より効果的に薄型化を図るためには、上側規制部の厚み寸法が段差部の深さ寸法以下に設定されていること、すなわち、上側規制部の上面が段差部から突出していないことが好ましい。
【０００８】
また、上記の構成において、前記段差部は前記カードの前端から後端の全範囲に亘って形成されていても良いが、カードの後端が段差部の形成されていない誤挿入防止部となっており、カードを前後逆にして挿入したときに誤挿入防止部が上側規制部の前端部に当接するように構成すると、カードの誤挿入防止を簡単な構成で実現できて好ましい。
【０００９】
また、上記の構成において、前記ハウジングが、内底面に複数の端子部材を露出させた合成樹脂製のベース部材と、このベース部材に一体化された金属製のカバー部材とからなり、このカバー部材に前記上側規制部を形成すると共に、前記ベース部材に前記下側規制部を形成する構成とした場合、ベース部材をモールド成形する金型構造を簡略化することができる。あるいは、前記ハウジングの左右両側壁に前記カードの挿入を案内するガイド部が設けられており、このガイド部に前記上側規制部と前記下側規制部を一体形成することも可能であり、このようにすると金属製のカバー部材が不要となって部品点数を省略できる。
【００１０】
また、上記の構成において、少なくとも一方の前記上側規制部が前記段差部の側面に当接して挿入時の前記カードの横方向への動きも規制するように構成されていると、カードの挿入を案内するガイド機構を簡略化することができる。
【発明の効果】
【００１１】
本発明のカード用コネクタ装置は、カード上面の両側縁に形成された段差部を利用して挿入時のカードの上方への動きを規制するようにしたので、全体の高さ寸法をカード自体の厚みと下側規制部の厚みを加算した程度まで薄くすることができる。
【発明を実施するための最良の形態】
【００１２】
発明の実施の形態について図面を参照して説明すると、図１は本発明の実施形態例に係るカード用コネクタ装置の斜視図、図２は該カード用コネクタ装置の分解斜視図、図３は該カード用コネクタ装置に使用されるカードの平面図、図４は該カードの裏面図、図５は図３のV−V線に沿う断面図、図６はカード挿入開始状態を示すカード用コネクタ装置の斜視図、図７はカード挿入時のカード用コネクタ装置を一方向から見た断面図、図８はカード挿入時のカード用コネクタ装置を他方向から見た断面図である。
【００１３】
図１と図２に示すように、本実施形態例に係るカード用コネクタ装置は、複数のコンタクト（端子部材）１が配設された合成樹脂製のベース部材２と、このベース部材２に一体化された板金製のカバー部材３とを備えており、これらベース部材２とカバー部材３によってハウジング４が構成されている。
【００１４】
ベース部材２は金型内に各コンタクト１をインサートして成形されたモールド品であり、このベース部材２には後述するカード５を配置させるためのカード収納部６が画成されている。このカード収納部６はベース部材２の底板２ａと左右両側壁２ｂ，２ｃおよび後壁２ｄとで囲まれた空間であって、カード収納部６の前面は開放されてカード挿入口７となっており、カード収納部６の上面も開放されている。また、カード収納部６の側方の空間内には公知のカード排出機構８が配設されており、図示省略されているが、このカード排出機構８は、カード５の挿入・排出方向へ移動可能なスライダや、スライダをカード排出方向へ付勢するばね部材や、スライダを所定位置にロックするハートカム機構等によって構成されている。
【００１５】
各コンタクト１はベース部材２の底板２ａに支持されており、カード挿入方向と直交する方向に沿って配列されている。各コンタクト１の手前側の一端部はプリント基板（図示せず）に半田付けされる端子部１ａとなっており、各コンタクト１の奥側の他端部は接触部１ｂとなっている。これら接触部１ｂはベース部材２の底板２ａよりも若干上方へ突出しており、カード収納部６内に挿入されたカード５の下面に接触できるようになっている。
【００１６】
カバー部材３はステンレス等の金属板をプレス加工したもので、矩形状の切欠き９が形成された平板部３ａと、平板部３ａの前端を除く左右両側と後端に形成された折曲片３ｂとを有しており、折曲片３ｂをベース部材２の左右両側壁２ｂ，２ｃと後壁２ｄにかしめ等の適宜手段で固定することにより、カバー部材３はカード排出機構８を覆うようにベース部材２に一体化されている。ただし、カード収納部６の上方にカバー部材３の切欠き９が位置するため、カード収納部６の上面は切欠き９を介して対向する平板部３ａの幅狭部分によってのみ覆われ、カード収納部６の中央部を含む上面のほとんどは開放されたままである。本実施形態例においては、カード収納部６の上面両側部を覆う平板部３ａの幅狭部分が上側規制部として機能すると共に、カード収納部６の内底面に露出するベース部材２の底板２ａが下側規制部として機能し、これら上側規制部に符号３Ａを付し、下側規制部に符号２Ａを付すこととする。なお、図１に示すように、カード挿入口７の幅寸法はｗ、両上側規制部３Ａの対向間距離はｗ１（ｗ＞ｗ１）に設定されており、下側規制部２Ａと上側規制部３Ａの対向間距離はｔに設定されている。
【００１７】
図３〜図５に示すように、このカード用コネクタ装置に使用されるカード５は平面視矩形状をなし、その上面の左右両側縁には段差部５ａが形成されており、下面には複数の外部接続部１０が設けられている。両段差部５ａはカード５の前端から後端の途中まで延びており、カード５の後端は段差部５ａの形成されていない誤挿入防止部５ｂとなっている。ここで、カード５の幅寸法をＷ、両段差部５ａの側面間距離をＷ１（Ｗ＞Ｗ１）とすると、カード５の幅寸法Ｗは前述したハウジング４側の両上側規制部３Ａの対向間距離ｗ１よりも大きいが、カード５の両段差部５ａ間距離Ｗ１は両上側規制部３Ａの対向間距離ｗ１とほぼ同じに設定されている。また、カード５の厚みをＴ、カード５の下面から段差部５ａの上面までの高さ寸法をＴ１とすると、カード５の厚みＴはハウジング４側の上下両側規制部２Ａ，３Ａの対向間距離ｔよりも大きいが、段差部５ａまでの高さ寸法Ｔ１は上下両側規制部２Ａ，３Ａの対向間距離ｔとほぼ同じに設定されている。すなわち、上側規制部３Ａとして機能するカバー部材３の平板部３ａの厚み寸法は、カード５上面の両側縁に形成された段差部５ａの深さ寸法（Ｔ−Ｔ１）よりも小さく設定されている。したがって、カード５をカード挿入口７から挿入すると、このカード５は段差部５ａの上面が上側規制部３Ａに当接することで上方への動きが規制されると共に、カード５の下面が下側規制部２Ａに当接することで下方への動きも規制され、カード５をカード収納部６内の装着位置にスムーズに挿入することができ、当該位置でカード５下面の各外部接続部１０が対応する各コンタクト１に接続される。
【００１８】
次に、上述したカード用コネクタ装置の動作について説明する。
【００１９】
図６に示すように、カード５をカード挿入口７に対して正しい姿勢で挿入すると、すなわち、段差部５ａを上面に向けてカード５の前端からカード挿入口７内に挿入すると、図７に示すように、このカード５は段差部５ａの上面が上側規制部３Ａに当接することで上方への動きが規制されると共に、カード５下面が下側規制部２Ａに当接することで下方への動きが規制され、さらに、段差部５ａの側面が上側規制部３Ａに当接することで横方向への動きも規制される。したがって、カード５をガタ付きのない状態でカード収納部６内の装着位置までスムーズに挿入することができ、図８に示すように、当該位置でカード５下面の各外部接続部１０が対応する各コンタクト１に接続される。なお、かかるカード５の挿入操作に伴ってカード排出機構８の図示せぬスライダがロック位置で係止されるため、コンタクト１と外部接続部１０の接続状態は維持されるが、この状態でカード５を若干量押し込むことにより、ロック解除されたスライダによってカード５を排出方向へ移動することができる。
【００２０】
このように本実施形態例に係るカード用コネクタ装置では、上面の両側縁に段差部５ａを有するカード５が挿入可能なハウジング４を、カード５下面の外部接続部１０に接続可能なコンタクト１を支持する合成樹脂製のベース部材２と、このベース部材２に一体化された板金製のカバー部材３とで構成し、このカバー部材３に段差部５ａの上面に当接して挿入時のカード５の上方への動きを規制する上側規制部３Ａを形成すると共に、ベース部材２にカード５の下面に当接して挿入時のカード５の下方への動きを規制する下側規制部２Ａを形成したので、カード用コネクタ装置全体の高さ寸法を下側規制部２Ａの厚み（ベース部材２の底板２ａの厚み）とカード５の厚みＴを加算した程度まで薄くすることができる。すなわち、カード上面の両側縁に形成された段差部５ａを利用して挿入時のカード５の上方への動きを規制するようにしたので、上側規制部３Ａであるカバー部材３の平板部３ａを挿入時のカード５の上面よりも下方位置に配設させることができ、カード用コネクタ装置の大幅な薄型化を実現できる。
【００２１】
また、カード５の後端が段差部５ａの形成されていない誤挿入防止部５ｂとなっているため、図９に示すように、カード５を前後逆にした状態でカード挿入口７に挿入しようとしても、誤挿入防止部５ｂが上側規制部３Ａの前端部に当接してカード５の挿入が阻止されるため、カード５の誤挿入防止を簡単な構成で実現できる。同様に、カード５を上下逆にした状態でカード挿入口７に挿入しようとした場合も、段差部５ａ以外のカード前面が上側規制部３Ａの前端部に当接することでカード５の挿入が阻止される。
【００２２】
なお、上記実施形態例では、合成樹脂製のベース部材２と板金製のカバー部材３とでハウジング４を構成した場合について説明したが、図１０に示すように、合成樹脂製のハウジング１１にベース部材とカバー部材の両機能を持たせ、このハウジング１１の左右両側壁に一体形成したカード５の挿入用ガイド溝１１ａの上下両面をそれぞれ上側規制部と下側規制部とすることも可能である。
【００２３】
また、上記実施形態例では、一対の上側規制部３Ａをそれぞれ段差部５ａの側面に当接させて挿入時のカード５の横方向への動きを規制しているが、例えば、ベース部材２に挿入時のカード５の一側面に当接するガイド部を設ければ、いずれか一方の上側規制部３Ａを段差部５ａの側面に当接させなくても、挿入時のカード５の横方向への動きを規制することは可能である。
【図面の簡単な説明】
【００２４】
【図１】本発明の実施形態例に係るカード用コネクタ装置の斜視図である。
【図２】該カード用コネクタ装置の分解斜視図である。
【図３】該カード用コネクタ装置に使用されるカードの平面図である。
【図４】該カードの裏面図である。
【図５】図３のV−V線に沿う断面図である。
【図６】カード挿入開始状態を示すカード用コネクタ装置の斜視図である。
【図７】カード挿入時のカード用コネクタ装置を一方向から見た断面図である。
【図８】カード挿入時のカード用コネクタ装置を他方向から見た断面図である。
【図９】該カードの誤挿入状態を示すカード用コネクタ装置の斜視図である。
【図１０】ハウジングの変形例を示す説明図である。
【符号の説明】
【００２５】
１  コンタクト
２  ベース部材
２ａ  底板
２Ａ  下側規制部
３  カバー部材
３ａ  平板部
３ｂ  折曲片
３Ａ  上側規制部
４  ハウジング
５  カード
５ａ  段差部
５ｂ  誤挿入防止部
６  カード収納部
７  カード挿入口
９  切欠き
１０  外部接続部
１１  ハウジング
１１ａ  ガイド溝
【図１】
2006147301.tif 000003
【図２】
2006147301.tif 000004
【図３】
2006147301.tif 000005
【図４】
2006147301.tif 000006
【図５】
2006147301.tif 000007
【図６】
2006147301.tif 000008
【図７】
2006147301.tif 000009
【図８】
2006147301.tif 000010
【図９】
2006147301.tif 000011
【図１０】
2006147301.tif 000012